(57)【特許請求の範囲】
【請求項１】
電線を挿通させる電線挿通孔が盤状をした固定具本体に設けられて、デッキプレートに開けられた透孔の周縁部に嵌着される一対の嵌着部が、前記固定具本体の下面における前記電線挿通孔の周縁部に設けられ、しかも、前記一対の嵌着部が前記透孔周縁部に嵌着し得るように、前記固定具本体を撓ませるための一対の撓み代部が前記電線挿通孔と連通して設けられ、相対向する方向にのみ開口して電線を引き込むための配線口を有するコンクリート埋設物が取付けられる被取付部が前記固定具本体に設けられて、前記コンクリート埋設物を前記デッキプレート上に固定するための固定具であって、
前記一対の撓み代部は、前記コンクリート埋設物内に引き込まれる電線の平面視での引込方向とほぼ直交する方向に沿って相対向して設けられて、前記固定具本体は前記電線引込方向に沿って撓み得るようになっていて、しかもデッキプレートの透孔周縁部のうち前記電線引込方向に沿った部分を覆うべく、前記一対の嵌着部は前記電線引込方向に沿って相対向して形成されていることを特徴とするデッキプレート用埋設物固定具。
【請求項２】
前記撓み代部は、固定具本体の電線挿通孔と連通する切欠部で構成されていることを特徴とする請求項１に記載のデッキプレート用埋設物固定具。
【請求項３】
電線を挿通させる電線挿通孔が盤状をした固定具本体に設けられて、デッキプレートに開けられた透孔の周縁部に嵌着される一対の嵌着部が、前記固定具本体の下面における前記電線挿通孔の周縁部に設けられ、しかも、前記一対の嵌着部が前記透孔周縁部に嵌着し得るように、前記固定具本体を撓ませるための一対の撓み代部が前記電線挿通孔と連通して形成されてなるコンクリート埋設物固定具と、
前記固定具に取付けられてデッキプレートに固定され、前記透孔を貫通する電線が内部で屈曲して配線されるように、相対向する方向にのみ開口して電線を引き込むための配線口を有するコンクリート埋設物とからなり、
前記固定具の一対の撓み代部の対向方向は、前記埋設物の配線口の対向方向と直交して、前記固定具本体は前記配線口の対向方向に沿って撓むようになっており、しかも前記固定具の一対の前記嵌着部の対向方向は、前記埋設物の配線口の対向方向に沿っていることを特徴とするデッキプレート用埋設物固定装置。
【発明の詳細な説明】
【０００１】
【発明の属する技術分野】
本発明は、電線管端末保護具、ボックス類等のように、配線口を有するコンクリート埋設物をデッキプレートに固定するためのデッキプレート用埋設物固定具、及びその固定装置に関するものである。
【０００２】
【従来の技術】
デッキプレートにコンクリート埋設物を固定するための従来の固定具Ｇ’として、特公平４−２７７７２号公報に開示されているものがある。前記固定具Ｇ’は、樹脂成形品であって、その基本構成は、図１１〜図１３に示されるように、盤状をした固定具本体５１の中央部に電線挿通孔５２が設けられていると共に、該固定具本体５１に前記電線挿通孔５２に連通するスリット５３が長手方向に沿って設けられ、固定具本体５１の下面における前記電線挿通孔５２の周縁部には、円弧状をした一対の嵌着部５４（図１３参照）が、前記スリット５３が設けられている方向と直交する方向に沿って相対向して設けられ、固定具本体５１の上面に、電線管端末保護具Ａ’を固定するための嵌合突起部５５が前記電線挿通孔５２及び前記スリット５３の周縁に設けられたものである。
【０００３】
この固定具Ｇ’をデッキプレートＤに固定するには、該デッキプレートＤに、固定具側の電線挿通孔５２に対応する電線挿通孔５６を開けておき、前記固定具Ｇ’をスリット５３の形成方向と直交する方向に撓ませて、固定具本体５１の下面に設けられた一対の嵌着部５４の一方をデッキ側の電線挿通孔５６の周縁部に嵌着させておいて、該一対の嵌着部５４の間隔を狭くさせると共に、固定具本体５１をデッキプレートＤの上面に密着させることにより、他方の嵌着部５４をデッキプレート側の電線挿通孔５６を通過させて、固定具本体５１の撓み力を解除することにより、前記電線挿通孔５６の周縁部に固定具Ｇ’の一対の嵌着部５４を嵌着させていた。
【０００４】
上記の状態では、デッキプレートＤに開けられた電線挿通孔５６の周縁部の一部が露出して、該露出部５７（図１１参照）は、後述する平面視での電線Ｗの引込方向Ｐに沿っているために、電線管端末保護具Ａ’内に引き込まれる電線Ｗを損傷させてしまう。即ち、電線管端末保護具Ａ’を固定具Ｇ’に固定した状態では、該保護具Ａ’の両端の配線口５８の中心を結ぶ線分の方向、即ち、電線Ｗの平面視での引込方向Ｐが固定具Ｇ’の長手方向（スリット５３の形成方向）に沿っているため、端末保護具Ａ’内に引き込まれた電線Ｗは、前記露出部５７によって損傷される。このため、図１１及び図１２に示されるように、デッキプレートＤの電線挿通孔５６に残った前記露出部５７に、断面コの字形をした嵌着片５９を嵌着させて、電線Ｗの損傷を防止していた。
【０００５】
このように、従来構造の固定具Ｇ’は、前記嵌着片５９の使用が不可欠であり、デッキプレートＤに対して固定具Ｇ’を取付けた後に、小さな嵌着片５９を前記露出部５７に嵌着させる作業は、極めて面倒であり、この嵌着作業を忘れることもあった。また、前記露出部５７に嵌着片５９を取付けた場合においても、電線Ｗの引込み力によって、外れることもあり、電線Ｗの保護に対して十分とは言えなかった。
【０００６】
【発明が解決しようとする課題】
本発明は、配線口を有するコンクリート埋設物をデッキプレートに取付けるための固定具において、別部材を要せずに、前記コンクリート埋設物に引き込まれる電線の損傷を確実に防止することを課題としている。
【０００７】
【課題を解決するための手段】
この課題を解決するための本発明は、電線を挿通させる電線挿通孔が盤状をした固定具本体に設けられて、デッキプレートに開けられた透孔の周縁部に嵌着される一対の嵌着部が、前記固定具本体の下面における前記電線挿通孔の周縁部に設けられ、しかも、前記一対の嵌着部が前記透孔周縁部に嵌着し得るように、前記固定具本体を撓ませるための一対の撓み代部が前記電線挿通孔と連通して設けられ、相対向する方向にのみ開口して電線を引き込むための配線口を有するコンクリート埋設物が取付けられる被取付部が前記固定具本体に設けられて、前記コンクリート埋設物を前記デッキプレート上に固定するための固定具であって、前記一対の撓み代部は、前記コンクリート埋設物内に引き込まれる電線の平面視での引込方向とほぼ直交する方向に沿って相対向して設けられて、前記固定具本体は前記電線引込方向に沿って撓み得るようになっていて、しかもデッキプレートの透孔周縁部のうち前記電線引込方向に沿った部分を覆うべく、前記一対の嵌着部は前記電線引込方向に沿って相対向して形成されていることを特徴としている。
【０００８】
固定具本体に設けられる一対の撓み代部は、固定具本体が電線引込方向に沿って撓み得るように、コンクリート埋設物内に引き込まれる電線の引込方向とほぼ直交する方向に沿って相対向して形成されていると共に、一対の嵌着部は電線引込方向に沿って相対向して形成され、デッキプレートに固定具が取付けられた状態において、固定具本体の電線挿通孔における平面視での電線引込方向に沿ってほぼ相対向する部分（電線引込経路）には、いずれも固定具の嵌着部が存在しているために、当該部分において、デッキプレート側の電線挿通孔の周縁部が露出しなくなる。従って、固定具の構造自体によって、デッキプレートの透孔周縁部における前記電線引込方向に沿ってほぼ相対向する部分に露出部が生じなくなって、別部材を用いずに、引込み時における電線の損傷を防止できる。
【０００９】
【発明の実施の形態】
以下、実施例を挙げて、本発明を更に詳細に説明する。図１は、本発明に係るデッキプレート用埋設物固定具Ｇの斜視図であり、図２は、同じく下方から見た斜視図であり、図３は、電線管端末保護具Ａの斜視図であり、図４は、デッキプレートＤに固定具Ｇを取付ける前の状態の斜視図である。固定具Ｇを構成する固定具本体１０は、後述する電線管端末保護具Ａの座板２４の形状に対応した方形盤状を呈していて、その周縁部には、全周に亘って外周壁部１が設けられていると共に、その中心部に電線挿通孔２が設けられている。また、固定具本体１０には、これをデッキプレートＤに固定した場合において、電線引込方向Ｐと直交する方向に沿って各切欠部３が相対向した状態で前記電線挿通孔２に接続して設けられており、該切欠部３が撓み代部として機能することにより、固定具本体１０を電線引込方向Ｐに沿って撓ませることができる。また、前記各切欠部３は、電線挿通孔２を基準にすると、その半径方向に沿って設けられている。更に、固定具本体１０の外周壁部１における電線引込方向Ｐに沿った２つの直線部の中央部は、他の部分に比較して薄肉に形成され、該薄肉部１ａの存在によっても、固定具本体１０が電線引込方向Ｐに沿って撓み易くなっている。
【００１０】
また、固定具本体１０の前記電線挿通孔２の周縁部には、半円弧状をした一対の周壁部４が裏面側に突出した状態で電線引込方向Ｐに沿って相対向して設けられ、各周壁部４の下端部であって、しかもその周方向に沿った中央部には、それぞれ嵌着板部５が前記固定具本体１０の裏面と平行となり、しかも外方に向けて設けられ、固定具本体１０の裏面と各嵌着板部５の上面との間に、デッキプレートＤに開けられた透孔３１（図４参照）の周縁部が挟み込まれる。
【００１１】
また、固定具本体１０の上面には、これに対して電線管端末保護具Ａが取付けられる２種類の被取付部が設けられている。被取付部は、固定具本体１０の上面に突設されて、電線管端末保護具Ａの座板２４に設けられた係合孔２５に挿入・係合される第１係合片６と、固定具本体１０の外周壁部１の一部を切り欠くことにより、内方に向けて弾性変形可能に形成されて、前記座板２４の周縁部に係合される第２係合片７との２種類から成る。第１係合片６は、その基端部が固定具本体１０の裏面に近い部分に設けられて、該固定具本体１０の肉厚部を貫通して、その上面に突設された一対一組の係合単片６ａで構成されていて、前記各切欠部３を挟むようにして計４組設けられている。また、第２係合片７は、固定具本体１０の外周壁部１における電線引込方向Ｐに沿った２つの直線部の両端にそれぞれ設けられている。
【００１２】
また、固定具本体１０の外周壁部１における電線引込方向Ｐと直交する方向に沿った２つの直線部の中央部は、それぞれ外方に半円弧状となって膨出された膨出部１ｂとなっていて、固定具本体１０における該膨出部１ｂの内側には、断面ほぼ円形のビス挿通孔８が設けられ、該ビス挿通孔８の周縁部には、固定具本体１０の裏面側に突出した一対の案内突起体９が設けられ、前記ビス挿通孔８の内周形状と、一対の案内突起体９の外周形状とで合成される形状が円形となっている。また、図４に示されるように、固定具本体１０に設けられた一対のビス挿通孔８のピッチは、デッキプレートＤにおける透孔３１の両側の対称位置に開けられる一対の器具取付孔３２のピッチと同一である。また、固定具本体１０における前記各膨出部１ｂの両側には、該固定具本体１０を把持可能にすると共に、これを電線引込方向Ｐに沿って撓ませる際に力を作用させるための把持片１１がそれぞれ設けられている。なお、図１及び図２において、１２は、固定具Ｇの成形時に使用される抜型により形成される空間部を示す。
【００１３】
一方、電線管端末保護具Ａは、図３及び図１０に示されるように、デッキプレートＤにより成形されたコンクリート天井壁内に埋設される電線管Ｅと接続されて、該電線管Ｅに挿通されている電線Ｗを壁表に引き出すための部材である。即ち、電線管端末保護具Ａは、下面が開口した保護具本体２１の長手方向の両端部に、斜上方に向けて電線管接続部２２がそれぞれ設けられて、各電線管接続部２２の開口が配線口２３となっており、保護具本体２１の下端部にフランジ状をした座板２４が設けられた構成である。この座板２４における電線引込方向Ｐに沿った各部分には、前記固定具Ｇの第１係合片６が挿入・係合される２個の係合孔２５がそれぞれ設けられている。
【００１４】
引き続いて、上記固定具Ｇを使用して、デッキプレートＤの谷部に電線管端末保護具Ａを固定する場合について説明する。まず、図４に示されるように、ホルソー（図示せず）を使用して、デッキプレートＤの谷部に固定具側の電線挿通孔２に対応する透孔３１を開けると共に、ドリル（図示せず）を使用して、前記透孔３１の両側に、固定具本体１０に設けられた一対のビス挿通孔８と同一ピッチでもって、器具取付孔３２を開ける。
【００１５】
次に、図４に示されるように、固定具本体１０に設けられた一対の切欠部３の方向をデッキプレートＤの凹凸方向（電線引込方向Ｐと直交する方向）に沿わせた状態において、図８に示されるように、固定具本体１０の裏面側に設けられた一対の嵌着板部５の一方を、デッキプレートＤの透孔３１の周縁部に嵌着させる。この状態において、固定具本体１０に設けられた各把持片１１に力Ｆを作用させて、固定具本体１０を電線引込方向（切欠部３の形成方向と直交する方向）Ｐに沿って撓ませると、一対の嵌着板部５の間隔が狭められ、非嵌着状態の他方の嵌着板部５は、デッキプレートＤの透孔３１に対して挿入可能となる。そして、他方の嵌着板部５が前記透孔３１を通ってデッキプレートＤの裏面に達した状態において、各把持片１１に作用させていた力Ｆを解除すると、図９に示されるように、該他方の嵌着板部５は、前記透孔３１の周縁部に嵌着される。
【００１６】
これにより、図５及び図９に示されるように、固定具本体１０の裏面に設けられた一対の嵌着板部５は、いずれもデッキプレートＤの透孔３１の周縁部に嵌着されて、固定具Ｇは、その固定具本体１０の裏面がデッキプレートＤの上面に密着した状態となって、該デッキプレートＤに取付けられる（固定される）。また、デッキプレートＤに固定具Ｇが取付けられると、図７及び図９に示されるように、固定具本体１０の下面に突設された二組の案内突起体９は、それぞれデッキプレートＤの器具取付孔３２に挿入される。
【００１７】
上記のようにして、デッキプレートＤに固定具Ｇが取付けられると、図５及び図９に示されるように、透孔３１の周縁部は、固定具本体１０の切欠部３が設けられている部分のみが露出して、残りの部分は、固定具本体１０の裏面側に設けられた一対の周壁部４によって覆われる。即ち、デッキプレートＤの透孔３１の全周縁部のうち、電線引込方向Ｐに沿って相対向する部分（電線の引込経路となり得る部分）は、全て固定具Ｇの周壁部４によって覆われて、露出部分がなくなる。
【００１８】
そして、図５及び図６に示されるように、デッキプレートＤに固定された固定具Ｇに対して電線管端末保護具Ａの座板２４を押し込むと、該座板２４の各係合孔２５に、固定具Ｇの各第１係合片６が挿入・係合されると共に、前記座板２４の周縁の四箇所に固定具Ｇの第２係合片７が係合されて、固定具Ｇに対して電線管端末保護具Ａが固定される。よって、電線管端末保護具Ａは、固定具Ｇを介してデッキプレートＤに固定される。
【００１９】
次に、図１０に示されるように、電線管Ｅに挿通されている電線Ｗを引き出しておいて、該電線Ｗを電線管端末保護具Ａの配線口２３から、その内部に引き込んで、下方に向けて屈曲させ、再度、保護具本体２１の底面開口から引き出すことにより、電線Ｗの端部をデッキプレートＤから壁表側に引き出す。ここで、上記したように、デッキプレートＤの透孔３１の全周縁部のうち、電線Ｗの引込経路となる部分は、固定具Ｇの各嵌着板部５で覆われているために、電線管端末保護具Ａ内に電線Ｗを引き込む際に、該電線ＷがデッキプレートＤの透孔３１の周縁部に直接接触して、損傷されることはない。
【００２０】
そして、壁表側においては、各電線Ｗの端部を煙感知器等の諸器具Ｂに接続して、器具Ｂの座板部４１をビス４２を介して電線管端末保護具Ａの保護具本体２１の底面部に固定する。即ち、前記ビス４２は、デッキプレートＤの器具取付孔３２に挿入され、保護具本体２１の底面部に螺合される。一方、壁裏側においては、電線Ｗが引き出された各電線管Ｅを、電線管端末保護具Ａの各接続部２２にそれぞれ接続する。この状態において、デッキプレートＤを型枠として機能させて、コンクリートを打設して、コンクリート天井壁を成形すると、各電線管Ｅ及び電線管端末保護具Ａは、前記コンクリート天井壁内に埋設される。
【００２１】
なお、上記実施例では、電線引込方向Ｐと直交する方向に沿って固定具本体１０に設けられた切欠部３が、該固定具本体１０を電線引込方向Ｐに沿って撓ませるための撓み代部として機能しているが、この撓み代部は、切欠部に限られず、蛇腹、薄肉部等で構成することも可能である。また、上記実施例では、コンクリート埋設物として、電線管端末保護具を挙げたが、他にボックス類を挙げることができる。
【００２２】
【発明の効果】
本発明に係るデッキプレート用埋設物固定具は、デッキプレート用埋設物に電線を引き込む方向に対する固定具本体を撓ませる方向の工夫によって、デッキプレートに開けられた透孔の全周縁部のうち、電線の引込経路となる部分は、固定具本体の裏面に設けられた一対の周壁部によって覆われる構造になっているので、別部材を用いることなく、引込電線が前記透孔の露出した周縁部に接触して損傷されるのを防止できる。
【図面の簡単な説明】
【図１】本発明に係るデッキプレート用埋設物固定具Ｇの斜視図である。
【図２】同様の固定具Ｇを下方から見た斜視図である。
【図３】電線管端末保護具Ａの斜視図である。
【図４】デッキプレートＤに固定具Ｇを取付ける前の状態の斜視図である。
【図５】デッキプレートＤに固定具Ｇが取付けられた状態の斜視図である。
【図６】固定具Ｇを介してデッキプレートＤに電線管端末保護具Ａが取付けられた状態の斜視図である。
【図７】固定具Ｇが取付けられたデッキプレートＤを壁表側から見た斜視図である。
【図８】固定具Ｇが撓まされてデッキプレートＤに取付けられる途中を示す断面図である。
【図９】固定具ＧがデッキプレートＤに取付けられた状態を示す断面図である。
【図１０】電線管端末保護具Ａ内に電線Ｗが引き込まれて、壁表側に器具Ｂが取付けられた状態の断面図である。
【図１１】従来の固定具Ｇ’がデッキプレートＤに取付けられた状態の斜視図である。
【図１２】従来の固定具Ｇ’を介してデッキプレートＤに取付けられた電線管端末保護具Ａ’内に電線Ｗが引き込まれて、壁表側に器具Ｂが取付けられた状態の断面図である。
【図１３】図１１のＸ−Ｘ線拡大断面図である。
【符号の説明】
Ａ：電線管端末保護具（コンクリート埋設物）
Ｄ：デッキプレート
Ｇ：デッキプレート用埋設物固定具
Ｐ：平面視での電線引込方向
Ｗ：電線
２：電線挿通孔
３：切欠部（撓み代部）
５：嵌着板部（嵌着部）
６：第１係合片（被取付部）
７：第２係合片（被取付部）
１０：固定具本体
２３：配線口
３１：デッキプレートの透孔
【図１】
0003618606.tif 000002
【図２】
0003618606.tif 000003
【図３】
0003618606.tif 000004
【図４】
0003618606.tif 000005
【図５】
0003618606.tif 000006
【図６】
0003618606.tif 000007
【図７】
0003618606.tif 000008
【図８】
0003618606.tif 000009
【図９】
0003618606.tif 000010
【図１０】
0003618606.tif 000011
【図１１】
0003618606.tif 000012
【図１２】
0003618606.tif 000013
【図１３】
0003618606.tif 000014